(57)【要約】【課題】  回転式操作器とそれを操作する操作軸体が別体で構成され、回転操作の際に回転式操作器に不要な力が加わり、回転トルクが大きくなって微妙な回転操作がし難くく回転式操作器そのものの寿命も早めるという問題を解決し、製造が簡便で且つ意図通りの操作が確保された回転式操作装置を提供することに目的とする。【解決手段】 回転式操作器である回転式エンコーダ５０の入力回転軸５５と操作軸体５３を連結手段５４によって軸線を一致させて連結し、且つ、その状態で回転式エンコーダ５０をベース５１の側に取付け固定させ得る保持部材５２を備えて構成した。【選択図】  図１
2006024385.tif 000002
【特許請求の範囲】
【請求項１】
入力回転軸が備えられ、その入力回転軸が少なくとも正逆の一方向に回転されることによって操作される回転式操作器と、ベースと、前記回転操作器を保持し、且つ、前記ベースに取付け固定するための保持部材と、その回転式操作器の入力回転軸と連結し、その入力回転軸に操作のための回転入力を与える操作軸体が備えられ、
上記回転式操作器の入力回転軸と上記操作軸体の間に、それら入力回転軸と操作軸体をそれらの軸線が一致されて連結させ得る連結手段が介在され、且つ、その連結手段が入力回転軸と操作軸体をそれらの軸線を一致させて連結させた状態において、上記保持部材を上記ベースに取付け固定し得る構成とした回転式操作装置。
【請求項２】
上記連結手段が、上記回転式操作器の入力回転軸と上記操作軸体のいずれか一方の端部に、他方の端部を嵌合させるブシュ体が配設されてなる請求項１に記載の回転式操作装置。
【請求項３】
上記連結手段が入力回転軸と上記操作軸体をそれらの軸線を一致させて連結させた状態において上記保持部材を上記ベースに取付け固定し得る構成が、前記保持部材を前記ベースに対してビス止めする構成で、且つ、前記保持部材に設けられた前記ビス止め用の通孔若しくは切欠きを、前記ベースに対して保持部材がスライドし得る大きさに形成させてなる請求項１又請求項２に記載の回転式操作装置。
【請求項４】
上記ベースと回転式操作器の間に介在され、その回転式操作器又は／及び上記操作軸体をベースに対して操作手段の軸線の方向にスライドさせ得る可動手段を備えて構成される請求項１〜３に記載の回転式操作装置。
【請求項５】
電気機器・電子機器に付設されて使用される際、操作軸体の回転式操作器との連結端とは逆側の端部に操作用摘み体が配設され、その摘み体が前記付設される電気機器・電子機器の本体に対して、突出と収納の位置を取り得る請求項４に記載の回転式操作装置。
【請求項６】
上記可動手段が、回転式操作器の側に付設され、その回転式操作器の軸線と軸線を共通するオネジ部を有するオネジ筒体と、ベースの側に付設され且つメネジ筒体と係合し、オネジ筒体が回転することを規制してオネジ筒体の軸線の方向の移動をガイドし得る直進ガイド体と、それらオネジ筒体と直進ガイド体の間に介在され、オネジ筒体のオネジ部と螺合するメネジ部を有するメネジ筒体と、そのメネジ筒体を正・逆方向に回転駆動する駆動モータから構成される請求項３〜請求項５に記載の回転式操作装置。
【発明の詳細な説明】
【技術分野】
【０００１】
この発明は、電気機器や電子機器に付設され、それらの電気・電子回路に接続されて使用され、正逆の少なくとも一方向に回転式に操作することによって例えばＯＮとＯＦＦとの切換え操作を行うスイッチ装置、同じく回転操作することによって所望出力を選択・設定の操作を行う操作装置等のように、同じく回転操作を行なうことによって電気的・電子的な操作を行なう回転式操作装置に関する。
特にこの発明は、正逆の少なくとも一方向に回転の操作を行うことによって電気的・電子的な操作が行われる回転式操作器とその回転式操作器に操作のための回転力を与える操作軸体を備えてなる回転式操作装置に関する。
【背景技術】
【０００２】
従来、回転式に操作することによって電気的・電子的な操作が行われる回転式操作器とその回転式操作器に操作のための回転力を与える操作軸体を備え、回転操作によって電気的・電子的な操作を行う回転式操作装置として、例えば、以下の特許文献で示されたものが知られている。
【０００３】
【特許文献１】特開２００１−３０７６００号公報（図１、図４等）
【発明の開示】
【発明が解決しようとする課題】
【０００４】
電気機器や電子機器の電気回路、電子回路等に接続され、電源のＯＮとＯＦＦの切換え操作、信号量の増減操作等を行なう回転操作式の装置は、押圧面を押圧することによって操作を行なう、所謂タッチ式操作装置に比して、操作をした際にその操作が認知し易いことから、より明確な使用感が得られ操作を確実に行うことが可能である。
又、操作入力の対象である操作器や操作手段、例えば、スイッチ、エンコーダ等は、回転式に操作入力するタイプが多い。
【０００５】
操作軸体と回転式操作器が別体である回転式操作装置は、操作軸体の長さを変えるだけで付設される機器に適合するので汎用性が高いが、操作軸体の軸心と回転式操作器の入力回転軸の軸心が軸線方向で一致していることが必要である。つまり、操作軸体の軸線と回転式操作器の入力回転軸の軸線が一致していることが必要である。
殊に、操作軸体の軸心と回転式操作器の入力回転軸の軸心がずれていたり、操作軸体の軸線方向と回転式操作器の入力回転軸の軸線方向が異なっている場合には、操作のための回転の力は回転式操作器に作用して、回転トルクが大きくなって微妙な回転操作がし難くくなるという問題があった。
【０００６】
又、操作軸体と回転式操作器の入力回転軸が上述した状態では、回転式操作器に不要な力を加えることになる。
今日のエンコーダ等の回転式操作器はより高い回転の分解能を確保するために精密に作られており、回転操作装置において操作軸体の軸心と回転式操作器の入力回転軸の軸心がずれていたり、操作軸体の軸線方向と回転式操作器の入力回転軸の軸線方向が異なっている場合には、回転操作の力が回転式操作器そのものに作用して寿命を早めたり、正しい操作が得られないという問題があった。
殊に、回転操作に対して回転式操作器からの出力が所定通りのものでない場合には、装置の機能そのものが信頼できず、問題はより深刻であった。
【０００７】
斯かる問題に対して、上記の特許文献１で開示されている発明は、回転式操作装置において操作軸体の軸線と回転式操作器の入力回転軸の軸線が一致しないで使用する場合を想定し、操作用の軸部材（操作軸体に該当）の一端に軸方向に対して垂直方向の内部断面が六角形の凹部を形成し、且つ、回転式操作器であるロータリーエンコーダの連結軸（入力回転軸に該当）をその凹部に嵌合させることによって連結させる構成を取っている。
【０００８】
斯かる構成では、回転式操作装置において操作軸体の軸線と回転式操作器の入力回転軸の軸線が一致しない場合であっても、操作軸体から操作回転力を入力回転軸に与えても不要な操作回転力が回転式操作器に大きく加わることはなく、上述の問題は生じない。
しかしながら、斯かる構成では、各部材の連結部分の製造が繁雑であるという問題がある。
【０００９】
又、操作用の軸部材（操作軸体に該当）とロータリーエンコーダの連結軸（入力回転軸に該当）の連結は、前記軸部材に形成した内部断面が六角形の膨出部が前記連結軸を挟持する構成であることより、それら膨出部と連結軸の間で滑りが生じた場合には意図通りの操作が得られないという問題が考えられる。
【００１０】
この発明は、上記の事情に鑑みてなされたものであって、操作軸体と回転式操作器が別体で構成された回転式操作装置において、回転式スイッチやロータリーエンコーダ等の回転式操作器に回転操作のための不要な力が加わらず、よって、回転トルクが大きくなって微妙な回転操作がし難くくなるという問題、回転式操作器に不要な力が作用して寿命を早めたり正しい操作が得られないという問題等が生じることがなく、装置の機能そのものに信頼ができ、又、製造が繁雑とならず且つ意図通りの操作が確保された回転式操作装置を提供するものである。
【課題を解決するための手段】
【００１１】
この発明は、入力回転軸の軸線と回転式操作器の操作軸体の軸線を一致され、且つ、その状態で回転式操作器をベースの側に取付け固定させる構成とした回転式操作装置である。
【００１２】
その詳細な構成は、入力回転軸が備えられ、その入力回転軸が少なくとも正逆の一方向に回転されることによって操作される回転式操作器と、ベースと、前記回転操作器を保持し、且つ、前記ベースに取付け固定するための保持部材と、その回転式操作器の入力回転軸と連結し、その入力回転軸に操作のための回転入力を与える操作軸体が備えられ、前記回転式操作器の入力回転軸と前記操作軸体の間に、それら入力回転軸と操作軸体をそれらの軸線が一致されて連結させ得る連結手段が介在され、且つ、その連結手段が入力回転軸と操作軸体をそれらの軸線を一致させて連結させた状態において、前記保持部材を上記ベースに取付け固定し得る構成とした回転式操作装置である。
【００１３】
ここで、上記の連結手段は具体的に、回転式操作器の入力回転軸と操作軸体のいずれか一方の端部に、他方の端部を嵌合させるブシュ体が配設されてなるものが挙げられる。
【００１４】
又、上記連結手段が入力回転軸と操作軸体をそれらの軸線を一致させて連結させた状態において保持部材を上記ベースに取付け固定し得る構成とは具体的に、保持部材をベースに対してビス止めする構成で、且つ、保持部材に設けられたビス止め用の通孔若しくは切欠きを、ベースに対して保持部材がスライドし得る大きさに形成させてなる構成が挙げられる。
【００１５】
更に、この回転式操作装置は、ベースと回転式操作器の間に、その回転式操作器又は／及び上記操作軸体をベースに対して操作手段の軸線の方向にスライドさせ得る可動手段を介在させて構成されるものが挙げられる。
【００１６】
加えて、この回転式操作装置は、電気機器・電子機器に付設されて使用される際、操作軸体の回転式操作器との連結端とは逆側の端部に操作用摘み体が配設され、その摘み体が前記付設される電気機器・電子機器の本体に対して、突出と収納の位置を取り得る構成のものが挙げられる。
【００１７】
更に加えて、上記可動手段は具体的に、回転式操作器の側に付設され、その回転式操作器の軸線と軸線を共通するオネジ部を有するオネジ筒体と、ベースの側に付設され且つメネジ筒体と係合し、オネジ筒体が回転することを規制してオネジ筒体の軸線の方向の移動をガイドし得る直進ガイド体と、それらオネジ筒体と直進ガイド体の間に介在され、オネジ筒体のオネジ部と螺合するメネジ部を有するメネジ筒体と、そのメネジ筒体を正・逆方向に回転駆動する駆動モータから構成されるものが挙げられる。
【００１８】
斯かる構成の回転式操作装置では、操作手段の操作軸の端部に付設されて操作を行なう操作摘み部は、操作手段の軸線方向に、可動手段によってベースに対してスライドして任意の位置を選択することが可能である。
従って、斯かる構成の回転式操作手段を電気機器・電子機器に付設して用いると、操作摘み部は電気機器・電子機器の機器本体の付設の面に対して収納と突出を取ることが可能になる。
【発明の効果】
【００１９】
この発明は、連結手段が、回転操作を行うための操作軸体と回転式操作器の入力回転軸をそれらの軸線が一致するようにして連結させ、且つ、その入力回転軸と操作軸体のそれぞれの軸線を一致させて連結させた状態で回転式操作器をベースに取付け固定し得る構成としたことにより、操作軸体からの操作回転力は回転式操作器に操作用にのみ作用するから、回転式スイッチやロータリーエンコーダ等の回転式操作器に不要な力がかかることがなく、よって、操作時の回転トルクが大きくなって微妙な回転操作がし難くくなったり、回転式操作器に不要な力が作用して寿命が早まったり、正しい操作が行えないいうことがなく、装置の機能に信頼ができ、又、製造が簡便であって且つ意図通りの操作結果が得られる回転式操作装置である。
【００２０】
又、この回転式操作装置は、ベースと回転式操作器の間に、その回転式操作器又は／及び操作軸体をベースに対して操作手段の軸線の方向にスライドさせ得る可動手段を介在させることによって、操作軸体の操作端を操作軸体の軸線方向にスライド可能とすることができる。
【発明を実施するための最良の形態】
【００２１】
この発明を、図面と共に以下に詳述する実施の形態例に基づき説明する。しかし、この実施の形態例によって、この発明が限定されるものではない。
又、以下に説明する実施例は、電気機器・電子機器に付設し電気回路的に接続して使用する場合を示すものである。
【００２２】
回転式操作装置１は、図１〜図３に示すように、回転式操作器である回転式エンコーダ５０と、ベース５１と、保持部材５２と、操作軸体５３と、連結手段５４が備えられている。
【００２３】
回転式エンコーダ５０は、入力回転軸５５が備えられ、入力回転軸５５が正逆の方向に回転操作されることによってパルスが発生し、そのパルスが後段の電子回路（図示省略）によって処理されて所定の信号を発生するものである。
尚、入力回転軸５５は、軸線に平行に拡がる面取り部５６が設けられている。
【００２４】
保持部材５２は、回転式エンコーダ５０を保持するものである。
つまり、回転式エンコーダ５０は、前部に入力回転軸５５と軸線を共通した固定用のオネジ部５７が設けられ、且つ、保持部材５２にオネジ部５７が挿通する通孔５８が開設されている。
ここで、回転式エンコーダ５０のオネジ部５７を保持部材５２の通孔５８に挿通させ、ワッシャ５９を介してナット６０をオネジ部５７に螺合させることによって、回転式エンコーダ５０は保持部材５２に保持される。
【００２５】
尚、回転式エンコーダ５０には入力回転軸５５の方向に伸びる突片６１が設けられ、且つ、保持部材５２には突片６１が嵌合する嵌合孔６２が形成されており、突片６１を嵌合孔６２に嵌合させた状態で回転式エンコーダ５０のオネジ部５７にナット６０を螺合すると、ナット６０の螺合の際に回転式エンコーダ５０に対して保持部材５２が回転するということはない。
【００２６】
ベース５１は、保持部材５２を固定するものである。
保持部材５２には、ベース５１に固定するためのビス６３、６４をそれぞれ挿通させ得る通孔６５，６６が開設されている。
保持部材５２に開設された通孔６５は、図３に示すように、保持部材５２の半径方向に伸びる略長円の形状に形成されている。
他方、通孔６６は、同じく図３に示すように、ビス６３の径に対して十分に大きな径に形成されている。
【００２７】
保持部材５２は、通孔６５，６６がこのように形成されていることにより、ビス６３に対して矢印Ｃ方向にスライド可能であり、又、ビス６４に対して矢印Ｄ方向にスライド若しくは開動可能である。
従って、保持部材５２は、結果的にベース５１に対して面方向の位置をある範囲内で移動可能な構成になっており、保持部材５２に保持された回転式エンコーダ５０は、ベース５１に対してある範囲内で任意の位置で固定され得る構成になっている。
【００２８】
操作軸体５３は、連結手段５４によって回転式エンコーダ５０の入力回転軸５５に軸線を共通の状態で連結され、操作者からの操作入力を回転式エンコーダ５０に伝えるものである。
尚、操作軸体５３は一方端に、操作者が回転操作を行うための操作摘み部６７が付設されている。
【００２９】
又、操作軸体５３は枢支部材６８によって正逆両方向に回転可能に枢支されており、枢支部材６８は電気機器や電子機器のケーシング等に取付け固定される構成になっている。つまり、具体的には、枢支部材６８に設けられたオネジ部６９と、ワッシャ７０を介してオネジ部６９と螺合するナット７１によって挟持する構成になっている。
７２は、操作軸体５３に形成された環状溝部であり、７３は、環状溝部７２に嵌合して操作軸体５３の枢支部材６８からの脱落を防止するＣリングである。
【００３０】
連結手段５４は、操作軸体５３の他方端に配設され且つ操作軸体５３と軸線を共通にして、空間が円柱形状に形成された嵌合凹部７４と、回転式エンコーダ５０の入力回転軸５５と、嵌合凹部７４に軸線を共通して嵌合し且つ軸線を共通して入力回転軸５５の端部を嵌合する円筒状のブシュ体７５から主に構成されている。
尚、８２はブシュ体７５の嵌合用凹部であり、嵌合用凹部８２に入力回転軸５５が所定状態で嵌合するとブシュ体７５の回転に入力回転軸５５が追従して回転するように、入力回転軸５５の端部の面取り部５６に対応した平面部（図示省略）が形成されている。
【００３１】
又、ブシュ体７５はその外周に軸線方向に延びる一対の凸状部７６，７７が備えられ、且つ、操作軸体５３の嵌合凹部７４を形成する円筒部に、凸状部７６，７７と嵌合することによって、嵌合凹部７４とブシュ体７５を互いに軸線を共通して嵌合させる切欠き部７８，７９が設けられている。
【００３２】
回転式操作装置１の各部は、上述したように構成されている。以下において、回転式操作装置１の組立てを説明する。
電子機器装置本体のケーシング８０に開設されている通孔８１に枢支部材６８を挿通させ、ワッシャ７０を介してオネジ部６９にナット７１を螺合させることにより、枢支部材６８をケーシング８０に取付け固定する。
続いて、操作軸体５３を枢支部材６８に挿通させ、環状溝部７２にＣリング７３を嵌合することによって、脱落防止の状態で操作軸体５３を枢支部材６８に枢支させる。
【００３３】
他方、回転式エンコーダ５０の突片６１を保持部材５２の嵌合孔６２に嵌合するようにして、回転式エンコーダ５０の入力回転軸５５及びオネジ部５７を保持部材５２の通孔５８に挿通させる。
続いて、ワッシャ５９を介してナット６０をオネジ部５７に螺合させて、保持部材５２に回転式エンコーダ５０を固定保持させる。  
【００３４】
更に、操作軸体５３の切欠き部７８，７９にブシュ体７５の凸状部７６，７７がそれぞれ嵌合するようにして、操作軸体５３の嵌合凹部７４にブシュ体７５を嵌合する。
続いて、ブシュ体７５の嵌合用凹部８２に回転式エンコーダ５０の入力回転軸５５を嵌合する。
ここで、連結手段５４が作用することになる。つまり、操作軸体５３とブシュ体７５が軸線を共通にして連結され、且つ、ブシュ体７５と回転式エンコーダ５０の入力回転軸５５が軸線を共通にして連結されているから、結果的に、操作軸体５３と回転式エンコーダ５０の入力回転軸５５は軸線を共通にして連結されることになる。
【００３５】
ここで、保持部材５２はベース５１に対して一定の位置を取ることになるが、通孔６５はベース５１の側に螺合するビス６３に対して回転式エンコーダ５０の入力回転軸５５の方向（矢印Ｃ方向）に対してスライド可能であり、且つ、通孔６６の径はベース５１の側に螺合するビス６４の径に対して十分に大きいから矢印Ｄ方向にスライド可能若しくは回転可能である。
【００３６】
従って、保持部材５２はベース５１に対して、通孔６５に対するビス６３のスライド及び通孔６６に対するビス６４のスライド若しくは回転の可能な範囲で任意の位置を取ることができるので、連結手段５４が回転式エンコーダ５０の入力回転軸５５に操作軸体５３をそれらの軸線を一致させて連結させた状態において決まる保持部材５２がベース５１に対して取っている位置で、ビス６３，６４をベースの側に螺合することによって保持部材５２をベース５１に取付け固定することができる。
【００３７】
よって、回転式操作装置１は、操作軸体５３と回転式エンコーダ５０の入力回転軸５５が軸線を共通した状態で回転式エンコーダ５０がベース５１の側に取付け固定されているので、操作者が操作軸体５３を回転操作する際にその回転操作の回転力は回転式エンコーダ５０の入力回転軸５５を回転することにのみ作用して回転式エンコーダ５０に作用しないから、操作者は回転式エンコーダ５０に所望通りに操作することが可能であり、又、回転操作で無理な力が加わって回転式エンコーダ５０を破損するということも生じない。
【００３８】
又、回転式操作装置１は、上述した構成であって特別な構成部品や特別な組立て作業を必要としていないから、回転式エンコーダ５０に不要な力が加わらずに所望通りに回転操作する他の方法、例えば、回転式エンコーダ５０の入力回転軸５５を所望通りの特別な長さで製造するといったことに比して、回転式エンコーダ５０の入力回転軸５５の長さを一定の儘にして操作軸体５３の長さを任意に選択するだけでよく、回転式エンコーダ５０は汎用性のあるものをその儘使用することが可能で、製造は簡便になっている。
【００３９】
以下において、この発明を図４〜図８に示す他の実施の形態例に基づき説明する。
回転式操作装置１は、電気機器・電子機器であるオーディオアンプ２に付設され、回路的に接続された音量調節装置である。
回転式操作装置１は、ベース３と、回転式操作器である操作手段４と、可動手段５が備えられている。
【００４０】
ベース３はほぼ円筒形状をしており、前部に操作手段４の操作を行なうための入力回転軸６が挿通する通孔（図示省略）が開設されている。
又、ベース３の前部はオーディオアンプ２への取付け部になっており、オーディオアンプ２の側の保持部材２７にネジ止め固定されている。つまり、ベース３は、装置本体を電気機器・電子機器に付設させる機能を有している。
ベース３の後部には、操作手段４が取付けられている。
【００４１】
操作手段４は、回転させることによって信号出力の操作を行なう構成のロータリーエンコーダであって、機能的にはオーディオアンプ２の音量を調節するボリュームである。
操作手段４は、ほぼ中心に操作の回転力を受ける入力回転軸６が付設されている。入力回転軸６は、操作手段４の本体に対してその軸線の方向（矢印Ａ及びＢ方向）にスライド可能な構成になっている。
【００４２】
操作手段４は、前部に入力回転軸６と軸線を共通としたオネジ部２６が配設されている。
ここで、オネジ部２６を保持部材２７に開設された通孔２８に挿通させ、ワッシャ（図示省略）を介してナット２９と螺合させることによって、操作手段４は保持部材２７に取付け保持される。
【００４３】
保持部材２７は、図８に示すように、ベース３に取付け固定されるためのビス３０，３１が挿通する通孔３２と切欠き３３が形成されている。
保持部材２７に開設された通孔３２は図８に示すように、保持部材２７の通孔２８に対して半径方向に伸びる略長円の形状に形成されている。
又、保持部材２７に形成された切欠き３３は、ビス３０の径に対して十分に大きな径に形成さ且つ外方向に開放れた形状になっている。
【００４４】
従って、保持部材２７は、通孔３２及び切欠き３３がこのように形成されていることにより、ベース３に対して面方向の位置を通孔３２に対するビス３０のスライド及び切欠き３３に対するビス３１のスライド若しくは回転の可能な範囲で任意の位置を取って固定されることが可能である。
【００４５】
操作手段４を回転操作するための操作軸体３４が、操作手段４の前方において、その軸線方向である矢印Ａ及びＢ方向にスライド可能に枢支されている。
操作軸体３４と操作手段４の入力回転軸６は、それらの軸線を共通して、連結手段３６によって連結されている。
【００４６】
連結手段３６は、操作軸体３４の他方端に形成され、操作軸体３４と軸線を共通にして空間が円柱形状に開設されたの嵌合凹部３７と、軸線を共通して嵌合凹部３７に嵌合する操作手段４の入力回転軸６と、嵌合凹部３７に入力回転軸６が嵌合した際にその状態を保持する保持手段から主に構成されている。
尚、前記保持手段は、嵌合凹部３７を形成する円筒部に半径方向に開設されたメネジ孔３８とメネジ孔３８に螺合するビス３９から主に構成されている。
【００４７】
従って、操作軸体３４と操作手段４の入力回転軸６を連結手段３６によって軸線を共通して連結すると、操作手段４を保持する保持部材２７はその面方向でベース３に対して一定の位置を取ることになる。操作者は、ベース３に対保持部材２７のその時の位置において、ビス３０，３１をベース３の側のメネジ部（図示省略）に羅合させることによって、操作軸体３４の軸線と操作手段４の入力回転軸６の軸線を共通させた状態で、操作手段４をベース３に対して固定することができる。
従って、上述した実施の形態例と同様の効果が得られる。
【００４８】
又、オーディオアンプ２の回転式操作装置１は、操作軸体３４をその軸線方向にスライドさせ得る可動手段５が備えられている。
更に、操作軸体３４は前方端に、操作者が操作を行なうための操作摘み部８が付設されている。
よって、回転式操作装置１は、可動手段５の作用によって操作軸体３４がスライドし、操作摘み部８がオーディオアンプ２のフロント操作パネル９に開設した通孔１０から突出の位置及び収納の位置をとることが可能となっている。
【００４９】
可動手段５は図４及び図６に示すように、操作手段４の入力回転軸６の側に付設され、その軸線が操作手段４の軸線と共通する多条のオネジ部１１を有するオネジ筒体１２と、ベース３の側に付設され且つメネジ筒体１５と係合し、オネジ筒体１２が回転することを規制してオネジ筒体１２の軸線の方向の移動をガイドし得る直進ガイド体１３と、オネジ筒体１２と直進ガイド体１３の間に介在され、オネジ筒体１２のオネジ部１１と螺合するメネジ部１４を有するメネジ筒体１５と、メネジ筒体１５を正・逆の両方向に回転駆動するステップ式の駆動モータ１６から主に構成されている。
【００５０】
オネジ筒体１２は、軸線を共通して入力回転軸６が挿通されている。入力回転軸６とオネジ筒体１２の間には、ベアリング１７が介在されている。
又、入力回転軸６には、ベアリング１７を挟んで一組のＥリング２５が嵌合され、矢印Ａ及びＢ方向の移動に対してオネジ筒体１２と一体化されている。
更に、オネジ筒体１２の外周部には、軸線と同じ方向で端部からほぼ中央部まで伸びる溝部１８が形成されている。
【００５１】
直進ガイド体１３は、オネジ筒体１２の外周に形成した溝部１８に嵌合する凸部１９が備えられ、オネジ筒体１２が回転することを規制してオネジ筒体１２の軸線の方向の移動をガイドするものである。
又、直進ガイド体１３は、メネジ筒体１５を収納する収納部２０が形成され、メネジ筒体１５が軸線方向に移動することを規制する構成になっている。
【００５２】
メネジ筒体１５は、外周に歯車部２１が形成されている。
歯車部２１は駆動モータ１６の出力軸（図示省略）に取付けられたギア２２と噛合し、メネジ筒体１５は駆動モータ１６からの回転動力を受けて回転する構成になっている。
【００５３】
尚、オーディオアンプ２には、回転式に操作することでオーディオアンプ２の機能の切換えを行なうための操作摘み部２３がフロント操作パネル９に対して前方に突出して配設されている。操作摘み部２３は、操作摘み部８と同様に、フロント操作パネル９に対して突出の位置と収納の位置を取るように構成されている。
又、オーディオアンプ２のフロント操作パネル９の中央部下部は、蝶番状に開閉する蓋体２４となっている。蓋体２４を開状態とすると、装置本体側の正面に表示パネルと操作ボタンスイッチ（共に、図示省略）が配設されている。
【００５４】
可動手段５が備えられた回転式操作装置１をオーディオアンプ２に付設した構成は、上述したようになっている。
以下において、回転式操作装置１の可動手段５の作用について説明する。
【００５５】
メーカーはオーディオアンプ２を工場で製造され、一定の検査が終えて良品と判断された後に出荷する際に、駆動モータ１６を出力させて操作摘み部８がオーディオアンプ２の本体内に収納するように、可動手段５を作用させる。
つまり、駆動モータ１６を出力させてギア２２と歯車部２１を介してメネジ筒体１５に正方向の回転駆動力を与える。
【００５６】
ここで、メネジ筒体１５の本体は、歯車部２１と同じに正方向に回転する。このメネジ筒体１５の正方向の回転によって、メネジ部１４と螺合しているオネジ部１１を備えたオネジ筒体１２も同じ方向に回転しようとする。
しかし、オネジ筒体１２の溝部１８に直進ガイド体１３の凸部１９が嵌合されているので、溝部１８と凸部１９が共働してオネジ筒体１２の回転することを規制する。
【００５７】
他方、メネジ筒体１５は回転を行なうが、直進ガイド体１３の収納部２０に収納されていることにより、矢印Ａ及びＢ方向のいずれの方向にも移動することはない。
従って、オネジ筒体１２は、矢印Ａ及びＢ方向において停止しているメネジ筒体１５から相対的に逆方向の回転力を受けて、結果的に矢印Ａ方向に進む。
【００５８】
オネジ筒体１２がメネジ筒体１５の所定位置に収納されると、リミッタ（図示省略）が作動して、駆動モータ１６の出力が停止する。
ここで、オネジ筒体１２と矢印Ａ及びＢ方向において一体化している操作軸体３４はオネジ筒体１２と同じ方向の矢印Ａ方向に同じ距離だけスライドされ、結果的に操作摘み部８も矢印Ａ方向に同じ距離だけスライドし、図４及び図５に示すように、オーディオアンプ２の内部に収納された状態となる。
【００５９】
尚、操作軸体３４が矢印Ａ方向にスライドすると、操作手段４の入力回転軸６は連結手段３６によって操作軸体３４と連結されていることにより、同じ方向に同じ距離だけスライドする。
が、操作軸体３４と入力回転軸６は連結手段３６によって軸線を共通にして連結され、且つ、スライド方向が操作軸体３４と入力回転軸６の軸線と同じ方向であることにより、この可動手段５によるスライドによって操作手段４に不要な力が加わったり操作手段４の機能に支障を生じさせるということはない。
【００６０】
工場のスタッフは、操作摘み部３１を操作摘み部８と同様にフロント操作パネル９に対して収納の位置を取るように操作し、更に、蓋体２４が閉状態であることを確認してから（図５の状態）、オーディオアンプ２の本体をシートで包む。
次に、シートで包まれたオーディオアンプ２を、オーディオアンプ２の本体の形状と大きさに対応して形成された発泡材料からなる梱包材（図示省略）で梱包する。
更に、梱包材で梱包されたオーディオアンプ２の本体を、それに対応して製造された段ボール製の箱に詰めて封をする。
【００６１】
オーディオアンプ２は、このシートで梱包する際、操作摘み部８及び３１がフロント操作パネル９に対して収納の位置を取っていて突出の状態でないので、包装すべき面はほぼ平面状になっていて、オーディオアンプ２の本体をシートで包む作業は簡便に済ませることができている。
【００６２】
又、オーディオアンプ２の梱包の際、オーディオアンプ２は、操作摘み部８及び２３がフロント操作パネル９に対して収納の位置を取っており、操作摘み部８及び２３がフロント操作パネル９に対して突出の状態を取っている場合に比して梱包材に操作摘み部８及び２３の突出分に対応する凹部を形成する加工が不用であることにより、梱包材を簡便に製造することが可能になっている。
【００６３】
更に、オーディオアンプ２が梱包されて或いは梱包無しの状態で運送される際に、何かに衝突した場合であっても、操作摘み部８及び２３がフロント操作パネル９に対して収納の位置を取っているので、衝突はオーディオアンプ２の本体ケーシング（図示省略）で生じて、操作摘み部８及び２３に強い衝撃が加わることは殆どなく、オーディオアンプ２そのものの機能が損なわれることは極めて少ない。
【００６４】
オーディオアンプ２が流通過程を経てユーザーの手許に到ると、そのユーザーはオーディオアンプ２を梱包から解いてＡＶラック（図示省略）の所定位置に設置する。
ここで、ユーザーは駆動モータ１６を出力させて操作摘み部８がオーディオアンプ２の本体内から突出するように、可動手段５を作用させる。
つまり、駆動モータ１６を出力させてギア２２と歯車部２１を介してメネジ筒体１５に逆方向の回転駆動力を与える。
【００６５】
ここで、メネジ筒体１５は、歯車部２１と同じに逆方向に回転する。このメネジ筒体１５の逆方向の回転によって、メネジ部１４と螺合しているオネジ部１１を備えたオネジ筒体１２も同じ方向に回転しようとする。
しかし、オネジ筒体１２の溝部１８に直進ガイド体１３の凸部１９が嵌合しているので、溝部１８と凸部１９が共働してオネジ筒体１２の回転することを規制する。
他方、メネジ筒体１５は回転はするが、直進ガイド体１３の収納部２０に収納されていることにより、矢印Ａ及びＢ方向に移動することはない。
【００６６】
従って、オネジ筒体１２は、矢印Ａ及びＢ方向において停止しているメネジ筒体１５から相対的に正方向の回転力を受けて、結果的に矢印Ｂ方向に進む。オネジ筒体１２がメネジ筒体１５の所定の距離だけ突出すると、リミッタ（図示省略）が作動して、駆動モータ１６の出力が停止する。
【００６７】
ここで、オネジ筒体１２と矢印Ａ及びＢ方向において一体化している入力回転軸６が矢印Ｂ方向に同じ距離だけスライドされ、結果的に操作摘み部８は矢印Ｂ方向にスライドされることになる。
よって、操作摘み部８は、図６及び図７に示すように、オーディオアンプ２のフロント操作パネル９から突出した状態となる。
【００６８】
ユーザーは、操作摘み部２３について、操作摘み部８と同様にフロント操作パネル９に対して突出の状態を取るように操作する（図７）。
ここで、ユーザーは操作摘み部８及び２３を操作し、更には、蓋体２４を開状態にして上記操作ボタンスイッチを操作して、オーディオアンプ２の演奏を行なう。
この演奏のための操作の際、オーディオアンプ２の操作摘み部８及び２３は回転式に操作を行なうものであるから、タッチ式に操作を行なう操作装置（手段）に比べて、より明確な使用感が得られ操作を確実に行うことが可能になっている。
【００６９】
回転式操作装置１は、ベース３に対して入力回転軸６が矢印Ａ及びＢ方向にスライドする構成であるが、ベース３に対して操作手段４が矢印Ａ及びＢ方向にスライドする構成であってもよい。
又、操作摘み部８のスライドする距離を大きく確保させるために、ベース３に対して操作手段４及び入力回転軸６が共に矢印Ａ及びＢ方向にスライドする構成が挙げられる。
【００７０】
回転式操作装置１は上述した形態例では音量調節装置であり、操作摘み部２３に対応する回転式操作手段はオーディオアンプ２の機能を切換える装置であるが、他に、チューニングの操作、音質の選択、出力の左右のバランスの操作等を行なうための装置であってもよい。
【００７１】
回転式操作装置１は上述した形態例で、図４及び図５、図６及び図７はそれぞれ操作摘み部８及び２３がオーディオアンプ２に対して収納の位置、最大に突出した位置をとっているが、所望により、両位置の中間の位置を取って使用することも可能である。
操作摘み部８及び２３を前記両位置の中間の位置を取らせることによって、オーディオアンプ２の本体に対する操作摘み部８及び２３の占める大きさを適宜選択することが可能になり、適切な見栄えを確保できる。
【００７２】
この実施の形態例の連結手段３６は、操作軸体３４の側の嵌合凹部３７と、操作手段４の入力回転軸６と、メネジ孔３８とメネジ孔３８からなる保持手段で主に構成されていが、第一の実施の形態例と同様に、操作軸体３４の側の嵌合凹部３７と、操作手段４の入力回転軸６と、それらの間に介在配設される円筒状のブシュ体を加えた構成であってもよい。
尚、斯かる構成であって、この実施の形態例では操作軸体３４がスライドするから連結状態を保持するための保持手段は必ず必要である。
【００７３】
回転式操作装置１は、可動手段５が、操作手段４の側に付設されたオネジ筒体１２と、ベース３の側に付設された直進ガイド体１３と、それらオネジ筒体１２と直進ガイド体１３の間に介在されてオネジ筒体１２と螺合するメネジ筒体１５と、メネジ筒体１５を正・逆方向に回転駆動する駆動駆動モータ１６から主に構成されているが、ベース３に対して操作手段４又は／及び入力回転軸６を矢印Ａ及びＢ方向にスライドするリニアモータ、ソレノイド等であってもよい。
【００７４】
保持部材２７の通孔３２と切欠き３３及び保持部材５２の通孔６５，６６の大きさと形状は、操作軸体３４と入力回転軸６及び操作軸体５３と入力回転軸５５がそれぞれ軸線を共通として連結した状態で、保持部材２７，５２がベース３，５１にそれぞれ取付け固定が可能であるように形成されればよい。
【図面の簡単な説明】
【００７５】
【図１】この発明の第一の実施の形態例の構成を説明する分解斜視図である。
【図２】図１に示す実施の形態例において、操作摘みを除いた状態の操作軸体の軸線を含む断面図である。
【図３】図１に示す実施の形態例で使用されている保持部材の斜視図である。
【図４】この発明の第二の実施の形態例をオーディオアンプに組込んだ際に、操作摘み部がオーディオアンプの内部に収納されている状態を示す断面を含む要部の構成説明図である。
【図５】図４に示す実施の形態例を組込んだオーディオアンプの前方上方からの外観を示す斜視図である。
【図６】図４に示す実施の形態例において、操作摘み部がオーディオアンプ本体から突出している状態を示す断面を含む要部の構成説明図である。
【図７】図６に示実施の形態例を組込んだオーディオアンプの前方上方からの外観を示す斜視図である。
【図８】図４に示す実施の形態例で使用されている保持部材の斜視図である。
【符号の説明】
【００７６】
１：                  回転式操作装置
２：                  オーディオアンプ
３，５１：            ベース
４：                  操作手段（ロータリーエンコーダ）
５：                  可動手段
６，５５：            入力回転軸
８，２３，６７：      操作摘み部
９：                  操作フロントパネル
１２：                オネジ筒体
１３：                直進ガイド体
１５：                メネジ筒体
１６：                駆動モータ
１８：                溝部
１９：                凸部
２７，５２：          保持部材
３２，６５，６６：    通孔
３３：                切欠き
３４，５３：          操作軸体
３６，５４：          連結手段
３７，７４：          嵌合凹部
５０：                回転式エンコーダ（回転式操作器）
７５：                ブシュ体
【図１】
2006024385.tif 000003
【図２】
2006024385.tif 000004
【図３】
2006024385.tif 000005
【図４】
2006024385.tif 000006
【図５】
2006024385.tif 000007
【図６】
2006024385.tif 000008
【図７】
2006024385.tif 000009
【図８】
2006024385.tif 000010